(57)【要約】着呼できる確率を大幅に向上させることができ、かつ、回線交換装置の負荷を低減することができる無線端末装置。この無線端末装置（１２０）の各々は、無線ＬＡＮインターフェース（１２６）と、セルラー無線インターフェース（１２７）と、内線電話番号とセルラー電話番号とを対応づけて記憶している電話番号テーブル（１２４１）と、を有する。また、複数の無線端末装置（１２０）の各々は、回線交換装置（１１１）から発信切替要請を受けた時に電話番号テーブル（１２４１）を検索して、当該発信切替要請に係る前記セルラー電話番号を特定し、当該セルラー電話番号に係る無線端末装置に対する発信を自動的にセルラー電話発信に切替える。【特許請求の範囲】
【請求項１】
所定区域内に構築された構内通信ネットワークシステムと、
ＩＰ無線電話が利用可能な外部の通信ネットワークシステムと、
前記所定区域内で発呼先に対して内線電話発信を行った後に内線電話発信からセルラー電話発信に切替を要請する発信切替要請の通知を受け取った場合に前記発呼先に対する発信を内線電話発信からセルラー電話発信に切替える無線端末装置と、
前記構内通信ネットワークシステムと前記外部の通信ネットワークシステムとを接続するとともに、前記内線電話発信を受け取った場合に前記発呼先が前記所定区域内に不在の場合には前記無線端末装置に対して前記発信切替要請を通知する回線交換装置と、
前記セルラー電話発信に切替えた前記無線端末装置と前記所定区域外の前記発呼先とが前記回線交換装置を介さずに直接音声による通話を行うセルラーネットワークシステムと、
を具備する通信システム。
【請求項２】
前記無線端末装置は、内線電話番号とセルラー電話番号とを対応付づけて記憶している電話番号テーブルを具備するとともに、前記発信切替要請の通知を受け取った場合に、前記発呼先の内線電話番号を用いて前記電話番号テーブルを検索して前記発呼先のセルラー電話番号を特定して前記発呼先に対する発信をセルラー電話発信に切替える請求項１記載の通信システム。
【請求項３】
前記回線交換装置は、内線電話番号とセルラー電話番号とを対応付づけて記憶している電話番号テーブルを具備するとともに、前記内線電話発信を受け取った場合に、前記発呼先の内線電話番号を用いて前記電話番号テーブルを検索して前記発呼先のセルラー電話番号を特定して前記発信切替要請とともに通知し、
前記無線端末装置は、前記回線交換装置から受け取ったセルラー電話番号の前記発呼先に対する発信をセルラー電話発信に切替える請求項１記載の通信システム。
【請求項４】
前記無線端末装置は、発呼信号に付加して前記発呼先との通信の優先度を示す接続優先度情報を送信し、
前記回線交換装置は、前記接続優先度情報を検出して前記接続優先度情報が示す優先度に応じて通話中の前記発呼先への着信又は前記セルラー電話発信への切換えを制御する請求項１記載の通信システム。
【請求項５】
前記無線端末装置は、発呼信号に付加して前記発呼先との通話の緊急度を示す通話緊急度情報を前記発呼先に通知し、
前記発呼先は、前記通話緊急度情報を検出して表示する請求項１記載の通信システム。
【請求項６】
複数の加入者宅の各々に構築された宅内通信ネットワークシステムと、
ＩＰ無線電話が利用可能な外部の通信ネットワークシステムと、
前記加入者宅で発呼先に対してＩＰ電話発信を行った後にＩＰ電話発信からセルラー電話発信に切替を要請する発信切替要請の通知を受け取った場合には前記発呼先に対してＩＰ電話発信からセルラー電話発信に切替える無線端末装置と、
サービスプロバイダー局に設置されるとともに前記宅内通信ネットワークシステムと前記外部の通信ネットワークシステムとを接続し、前記ＩＰ電話発信を受け取った場合に前記発呼先が前記加入者宅に不在である場合には前記無線端末装置に対して前記発信切替要請を通知する回線交換装置と、
前記セルラー電話発信に切替えた前記無線端末装置と前記加入者宅外の前記発呼先とが前記回線交換装置を介さずに直接音声による通話を行うセルラーネットワークシステムと、
を具備する通信システム。
【請求項７】
前記無線端末装置は、ＩＰ電話番号とセルラー電話番号とを対応付づけて記憶している電話番号テーブルを具備するとともに、前記発信切替要請の通知を受け取った場合に、前記発呼先のＩＰ電話番号を用いて前記電話番号テーブルを検索して前記発呼先の前記セルラー電話番号を特定して前記発呼先に対する発信を前記セルラー電話発信に切替える請求項６記載の通信システム。
【請求項８】
前記回線交換装置は、ＩＰ電話番号とセルラー電話番号とを対応付づけて記憶している電話番号テーブルを具備するとともに、前記ＩＰ電話発信を受け取った場合に、前記発呼先のＩＰ電話番号を用いて前記電話番号テーブルを検索して前記発呼先の前記セルラー電話番号を特定して前記発信切替要請とともに通知し、
前記無線端末装置は、前記回線交換装置から受け取ったセルラー電話番号の前記発呼先に対する発信をセルラー電話発信に切替える請求項６記載の通信システム。
【請求項９】
前記無線端末装置は、発呼信号に付加して前記発呼先との通話の緊急度を示す通話緊急度情報を前記発呼先に通知し、
前記発呼先は、前記通話緊急度情報を検出して表示する請求項６記載の通信システム。
【請求項１０】
所定区域内に構築された構内通信ネットワークシステムと外部の通信ネットワークシステムとが前記所定区域内の回線交換装置により接続されるとともに、前記所定区域内の無線通信装置が発呼先と通信する通信方法であって、
前記無線通信装置が前記発呼先に対して内線電話発信を行うステップと、
前記回線交換装置が前記内線電話発信を受け取った場合に前記発呼先の前記所定区域内における在／不在を確認するステップと、
前記発呼先が前記所定区域内に不在である場合には前記回線交換装置が前記無線端末装置に対して内線電話発信からセルラー電話発信に切替を要請する発信切替要請を通知するステップと、
前記無線通信装置が前記発信切替要請の通知を受け取った場合に前記発呼先への発信を内線電話発信からセルラー電話発信に切替えるステップと、
前記セルラー電話発信に切替えた前記無線端末装置とセルラーネットワークシステム内の前記発呼先とが前記回線交換装置を介さずに直接音声による通話を行うステップと、
を具備する通信方法。
【請求項１１】
複数の加入者宅の各々に構築された宅内通信ネットワークシステムと外部の通信ネットワークシステムとがサービスプロバイダー局に設置される回線交換装置により接続されるとともに、前記加入者宅の無線通信装置が発呼先と通信する通信方法であって、
前記無線通信装置が前記発呼先に対してＩＰ電話発信を行うステップと、
前記回線交換装置が前記ＩＰ電話発信を受け取った場合に前記発呼先の前記加入者宅における在／不在を確認するステップと、
前記発呼先が前記加入者宅に不在である場合には前記回線交換装置が前記無線端末装置に対してＩＰ電話発信からセルラー電話発信に切替を要請する発信切替要請を通知するステップと、
前記無線通信装置が前記発信切替要請の通知を受け取った場合に前記発呼先への発信をＩＰ電話発信からセルラー電話発信に切替えるステップと、
前記セルラー電話発信に切替えた前記無線端末装置とセルラーネットワークシステム内の前記発呼先とが前記回線交換装置を介さずに直接音声による通話を行うステップと、
を具備する通信方法。
【発明の詳細な説明】
【技術分野】
【０００１】  本発明は、所定区域内に構築された構内通信回線と、複数の無線端末装置と、無線ＬＡＮシステムと、セルラー無線システムと、を具備し、音声による通話を行う通信システム及び通信方法に関する。
【背景技術】
【０００２】  無線通信システムは、近年、ＰＤＣ、ＩＭＴ２０００及びＰＨＳに代表される公衆無線通信システムのほか、ＰＨＳなどを用いた構内通信システムなどの所定区域内に構築された音声通信を行う通信回線システムにも導入されている。このようなシステムでは、相手先の通信端末装置が所定区域外にいる場合でも通信を実現するため、外部の通信ネットワークシステムへの転送機能が必要である。このような指定区域内外での通信を実現する技術は、特許文献１に記載されている。【０００３】  一方、インターネットの普及に伴い、インターネットを介した音声通信システムが開始されているほか、構内及び宅内の電話システムなどの所定区域内に構築された通信回線システムにもインターネット上の音声通信システムが導入され始めている。このようなインターネット電話を利用した構内や宅内などの指定区域内に構築された通信回線システムは、特許文献２に記載されている。【０００４】  今後、構内無線電話システムとインターネット電話技術を融合し、ＩＰ無線電話技術を使用した指定区域内に構築される通信システムが導入されることが予想される。
【特許文献１】特開平９−３２２２５５号公報
【特許文献２】特開２００３−１４３３２３号公報
【発明の開示】
【発明が解決しようとする課題】
【０００５】  しかしながら、前記従来の技術を融合した通信システムでは、無線端末装置が公衆ネットワークシステムに移動した際に、ＩＰ無線電話が利用可能となる公衆無線ＬＡＮ（Ｈｏｔ  Ｓｐｏｔ）エリアが十分敷設されていない場合には、利用できるエリアが少ないため、外部の通信ネットワークシステムへの転送機能を有効的に利用することができないから着呼できる確率が低いという問題がある。【０００６】  また、前記従来の技術を融合した通信システムでは、特許文献１に記載されたように指定区域内にいる無線端末装置から指定区域外にいる無線端末装置に発呼した場合に常に指定区域内通信回線と外部の通信ネットワークとを接続する回線交換装置を経由して、制御データ及び音声データが送られるため、大きな事業所のように多くの無線端末装置を収容する場合には、回線交換装置の負荷は増大することとなるという問題がある。【０００７】  本発明の目的は、着呼できる確率を大幅に向上させることができ、かつ、回線交換装置の負荷を低減することができる通信システム及び通信方法を提供することである。
【課題を解決するための手段】
【０００８】  本発明の通信システムは、所定区域内に構築された構内通信ネットワークシステムと、ＩＰ無線電話が利用可能な外部の通信ネットワークシステムと、前記所定区域内で発呼先に対して内線電話発信を行った後に内線電話発信からセルラー電話発信に切替を要請する発信切替要請の通知を受け取った場合に内線電話発信からセルラー電話発信に切替える無線端末装置と、前記構内通信ネットワークシステムと前記外部の通信ネットワークシステムとを接続するとともに、前記内線電話発信を受け取った場合に前記発呼先の前記所定区域内における在／不在を確認して不在である場合には前記無線端末装置に対して前記発信切替要請を通知する回線交換装置と、前記セルラー電話発信に切替えた前記無線端末装置と前記所定区域外の前記発呼先とが前記回線交換装置を介さずに直接音声による通話を行うセルラーネットワークシステムと、を具備する構成を採る。【０００９】  また、本発明の通信システムは、複数の加入者宅の各々に構築された宅内通信ネットワークシステムと、ＩＰ無線電話が利用可能な外部の通信ネットワークシステムと、前記加入者宅で発呼先に対してＩＰ電話発信を行った後にＩＰ電話発信からセルラー電話発信に切替を要請する発信切替要請の通知を受け取った場合には前記発呼先に対してＩＰ電話発信からセルラー電話発信に切替える無線端末装置と、サービスプロバイダー局に設置されるとともに前記宅内通信ネットワークシステムと前記外部の通信ネットワークシステムとを接続し、前記ＩＰ電話発信を受け取った場合に前記発呼先の前記加入者宅における在／不在を確認して不在である場合には前記無線端末装置に対して前記発信切替要請を通知する回線交換装置と、前記セルラー電話発信に切替えた前記無線端末装置と前記加入者宅外の前記発呼先とが前記回線交換装置を介さずに直接音声による通話を行うセルラーネットワークシステムと、を具備する構成を採る。【００１０】  本発明の通信方法は、所定区域内に構築された構内通信ネットワークシステムと外部の通信ネットワークシステムとが前記所定区域内の回線交換装置により接続されるとともに、前記所定区域内の無線通信装置が発呼先と通信する通信方法であって、前記無線通信装置が前記発呼先に対して内線電話発信を行うステップと、前記回線交換装置が前記内線電話発信を受け取った場合に前記発呼先の前記所定区域内における在／不在を確認するステップと、前記発呼先が前記所定区域内に不在である場合には前記回線交換装置が前記無線端末装置に対して内線電話発信からセルラー電話発信に切替を要請する発信切替要請を通知するステップと、前記無線通信装置が前記発信切替要請の通知を受け取った場合に内線電話発信からセルラー電話発信に切替えるステップと、前記セルラー電話発信に切替えた前記無線端末装置とセルラーネットワークシステム内の前記発呼先とが前記回線交換装置を介さずに直接音声による通話を行うステップと、を具備するようにした。【００１１】  また、本発明の通信方法は、複数の加入者宅の各々に構築された宅内通信ネットワークシステムと外部の通信ネットワークシステムとがサービスプロバイダー局に設置される回線交換装置により接続されるとともに、前記���入者宅の無線通信装置が発呼先と通信する通信方法であって、前記無線通信装置が前記発呼先に対してＩＰ電話発信を行うステップと、前記回線交換装置が前記ＩＰ電話発信を受け取った場合に前記発呼先の前記加入者宅における在／不在を確認するステップと、前記発呼先が前記加入者宅に不在である場合には前記回線交換装置が前記無線端末装置に対してＩＰ電話発信からセルラー電話発信に切替を要請する発信切替要請を通知するステップと、前記無線通信装置が前記発信切替要請の通知を受け取った場合にＩＰ電話発信からセルラー電話発信に切替えるステップと、前記セルラー電話発信に切替えた前記無線端末装置とセルラーネットワークシステム内の前記発呼先とが前記回線交換装置を介さずに直接音声による通話を行うステップと、を具備するようにした。
【発明の効果】
【００１２】  本発明によれば、相手の無線端末装置が指定区域内にいる場合にはＩＰネットワークを使用したＩＰ電話発信をし、かつ、指定区域外にいる場合には無線端末装置で自動的にセルラー番号発信に自動的に切替えるため、通信相手の無線端末装置が指定区域外にいる場合でも直接にセルラーネットワークを介して通信できるから、着呼できる確率を大幅に向上させることができる。【００１３】  また、本発明によれば、相手先の無線端末装置が指定区域外にいる場合には回線交換装置を経由することなく通話することができるため、回線交換装置の負荷を低減することができる。
【図面の簡単な説明】
【００１４】
【図１】本発明の実施の形態に係る通信システムの構成を示す図
【図２】本発明の実施の形態１に係る通信システムの無線端末装置の構成を示すブロック図
【図３】本発明の実施の形態１に係る通信システムの回線交換装置の構成を示すブロック図
【図４】本発明の実施の形態１に係る通信システムにおける無線端末装置の間のシーケンスを示す図
【図５】本発明の実施の形態１に係る通信システムにおける構内にいる無線端末装置から構内にいる無線端末装置への発呼シーケンスを示す図
【図６】本発明の実施の形態１に係る通信システムにおける位置／ＩＰアドレス管理部のテーブルの１例を説明するための図
【図７】本発明の実施の形態１に係る通信システムにおける無線端末装置の位置登録のシーケンスを説明するための図
【図８】本発明の実施の形態１に係る通信システムにおける構外にいる無線端末装置から構外にいる無線端末装置への発呼シーケンスを示す図
【図９】本発明の実施の形態２に係る通信システムの無線端末装置を示すブロック図
【図１０】本発明の実施の形態２に係る通信システムの回線交換装置を示すブロック図
【図１１】本発明の実施の形態２に係る通信システムにおける構内にいる無線端末装置から構外にいる無線端末装置への発呼シーケンスを示す図
【図１２】本発明の実施の形態３に係る通信システムの無線端末装置の構成を示すブロック図
【図１３】本発明の実施の形態３に係る通信システムの回線交換装置の構成を示すブロック図
【図１４】本発明の実施の形態３に係る通信システムの無線端末装置による優先度の設定の例を説明するための図
【図１５】本発明の実施の形態３に係る通信システムにおける相手の無線端末装置が構内に存在する場合の接続シーケンスを示す図
【図１６】本発明の実施の形態３に係る通信システムにおけるキャッチフォン接続のフローの一例を示すフロー図
【図１７】本発明の実施の形態３に係る通信システムにおける相手の無線端末装置が構外に存在する場合の接続シーケンスを示す図
【図１８】本発明の実施の形態３における呼制御部、端末状態管理部、位置情報／ＩＰアドレス管理部及び発信端末優先度検出部の制御シーケンスを示すフロー図
【図１９】本発明の実施の形態４に係る通信システムの無線端末装置を示すブロック図
【図２０】本発明の実施の形態４に係る通信システムにおける接続相手先に伝える緊急度の通知内容の例を示す図
【図２１】本発明の実施の形態４に係る通信システムにおける接続相手先の無線端末装置が構内にいる場合の内線接続時のシーケンスを示す図
【図２２】本発明の実施の形態４に係る通信システムにおける接続相手先の無線端末装置が構外にいる場合のセルラー接続時のシーケンスを示す図
【図２３】本発明の実施の形態４に係る通信システムの無線端末装置を示す略正面図
【図２４】本発明の実施の形態５に係る通信システムの構成を示す図
【図２５】本発明の実施の形態５に係る通信システムの無線端末装置の構成を示すブロック図
【図２６】本発明の実施の形態５に係る通信システムの宅内通信ネットワークシステムにおける回線交換装置の構成を示すブロック図
【図２７】本発明の実施の形態５に係る通信システムにおける宅内にいる無線端末装置から宅内にいる無線端末装置への発信シーケンスを示す図
【図２８】本発明の実施の形態５に係る通信システムにおける位置情報／ＩＰアドレス管理部のテーブルの１例を示す図
【図２９】本発明の実施の形態５に係る通信システムにおける無線端末装置の位置登録シーケンスを示す図
【図３０】本発明の実施の形態５に係る通信システムにおける宅内にいる無線端末装置から宅外にいる無線端末装置への発信シーケンスを示す図
【発明を実施するための最良の形態】
【００１５】  次に、本発明の実施の形態について、図面を参照して詳細に説明する。【００１６】  （実施の形態１）
図１は、本発明の実施の形態１に係る通信システムの構成を示す図である。図２は、本発明の実施の形態１に係る通信システムの無線端末装置の構成を示すブロック図である。図３は、本発明の実施の形態１に係る通信システムの回線交換装置の構成を示すブロック図である。【００１７】  図１に示すように、本発明の実施の形態１に係る通信システム１００は、所定区域内に構築されＩＰ化された構内通信ネットワークシステム１１０と、複数の無線端末装置１２０と、外部の通信ネットワークシステム１３０と、セルラーネットワークシステム１４０と、を具備している。【００１８】  構内通信ネットワークシステム１１０の回線交換装置１１１は、外部の通信ネットワークシステム１３０と接続されている。通信ネットワークシステム１３０は、インターネット１３１と、公衆ネットワークシステム１３２と、インターネット１３１と公衆ネットワークシステム１３２とを接続しているメディア変換装置１３３を有している。【００１９】  構内通信ネットワークシステム１１０は、回線交換装置１１１及び複数のアクセスポイント装置１１２を有している。複数の無線端末装置１２０の各々は、アクセスポイント装置１１２及び回線交換装置１１１を介して構内通信ネットワークシステム１１０の内部の複数の無線端末装置１２０の各々と音声による通話を行うことができる。【００２０】  また、複数の無線端末装置１２０の各々は、アクセスポイント装置１１２及び回線交換装置１１１を介して外部の通信ネットワークシステム１３０の複数の無線端末装置（図示せず）の各々と音声による通話を行うことができる。さらにまた、複数の無線端末装置１２０の各々は、セルラーネットワークシステム１４０の複数の無線端末装置１４１の各々と直接に音声による通話を行うことができる。【００２１】  図２に示すように、無線端末装置１２０は、電話番号入力部１２１と、セルラー／内線処理部１２２と、呼制御部１２３と、セルラー／内線電話番号管理部１２４と、内線／セルラー切替処理部１２５と、無線ＩＰ電話機用の無線ＬＡＮインターフェース１２６と、公衆無線通信システム用のセルラー無線インターフェース１２７と、を具備している。【００２２】  電話番号入力部１２１は、ユーザが相手先の電話番号を入力するためのものである。セルラー／内線処理部１２２は、電話番号入力部１２１により入力される相手先の電話番号が内線番号、セルラー電話番号、一般公衆電話番号又はＩＰ電話番号であるかを判断して判断結果を生成する。【００２３】  セルラー／内線処理部１２２は、前記判断結果により相手先の電話番号がセルラー電話番号であることを示している時に、セルラー発呼指示を呼制御部１２３に与える。呼制御部１２３は、前記セルラー発呼指示を受けた時にセルラー無線インターフェース１２７を使用して発呼する。呼制御部１２３がセルラー無線インターフェース１２７を介して発呼してた場合（一般のセルラーの無線端末装置に対して電話をかける場合）、無線端末装置１２０は、直接にセルラーネットワークシステム１４０を経由してセルラーネットワークシステム１４０の配下にいる無線端末装置１４１と通話を行う。【００２４】  一方、セルラー／内線処理部１２２は��前記判断結果により相手先の電話番号がセルラー電話番号以外のものを示している時に、非セルラー発呼指示を呼制御部１２３に与える。呼制御部１２３は、前記非セルラー発呼指示を受けた時に、構内通信ネットワークシステム１１０又は外部の通信ネットワークシステム１３０を介して他の無線端末装置と通話をするため、無線ＬＡＮインターフェース１２６を使用して発呼する。【００２５】  また、無線ＬＡＮインターフェース１２６を使用して発呼した場合において、一般公衆電話番号又はＩＰ電話番号をもつ無線端末装置に対する発呼は、前記電話番号が一般公衆電話番号又はＩＰ電話番号であることを図３に示す回線交換装置１１１が判断して図４の発呼シーケンスの接続要求信号に含まれる電話番号を、外部の通信ネットワークシステム１３０に送信する。【００２６】  セルラー／内線電話番号管理部１２４は、複数の無線端末装置の各々を特定する内線電話番号とセルラー電話番号とを対応づけて記憶している電話番号テーブル１２４１を有している。内線／セルラー切替処理部１２５は、呼制御部１２３からの電話番号の情報に基づいて電話番号テーブル１２４１を検索して呼制御部１２３が発呼すべき内線電話番号又はセルラー電話番号を検索して呼制御部１２３に与える。【００２７】  図３に示すように、回線交換装置１１１は、内線インターフェース１１１１、交換部１１１２、外線インターフェース１１１３、呼制御部１１１４及び位置情報／ＩＰアドレス管理部１１１５を具備している。【００２８】  位置情報／ＩＰアドレス管理部１１１５は、複数の無線端末装置１２０の各々の所定区域内における在／不在情報とＩＰアドレス情報とを内線電話番号と対応づけて管理する。呼制御部１１１４は、内線電話発呼信号を受け取った時に前記内線電話発呼信号の発呼先の無線端末装置１２０の所定区域内における在／不在情報を確認し前記発呼先の前記無線端末装置１２０が所定区域内において不在である場合に当該無線端末装置１２０に対して内線電話発信からセルラー電話発信に切替を要請する発信切替要請を通知する。【００２９】  交換部１１１２は、呼制御部１１１４からの発信切替要請に応じて発呼を内線インターフェース１１１１又は外線インターフェース１１１３を介して送信する。【００３０】  複数の無線端末装置１２０の各々は、回線交換装置１１１から前記発信切替要請を受けた時に電話番号テーブル１２４１を検索して当該発信切替要請に係る前記セルラー電話番号を特定して当該セルラー電話番号に係る無線端末装置１２０に対する発信を自動的にセルラー電話発信に切替える。【００３１】  次に、本発明の実施の形態１に係る通信システムの動作について、図１〜図３とともに図４〜図８を参照して詳細に説明する。【００３２】  図４は、本発明の実施の形態１に係る通信システムにおける無線端末装置の間のシーケンスを示す図である。図５は、本発明の実施の形態１に係る通信システムにおける構内にいる無線端末装置から構内にいる無線端末装置への発呼シーケンスを示す図である。図６は、本発明の実施の形態１に係る通信システムにおける位置／ＩＰアドレス管理部のテーブルの１例を説明するための図である。図７は、本発明の実施の形態１に係る通���システムにおける無線端末装置の位置登録のシーケンスを説明するための図である。図８は、本発明の実施の形態１に係る通信システムにおける構内にいる無線端末装置から構外にいる無線端末装置への発呼シーケンスを示す図である。【００３３】  無線端末装置１２０のユーザは、図２に示す無線端末装置１２０の電話番号入力部１２１を操作して相手先の無線端末装置１２０を特定する電話番号を入力する。【００３４】  入力された相手先の電話番号は、セルラー／内線処理部１２２により、内線番号、セルラー電話番号、一般公衆電話番号又はＩＰ電話番号であるかを判断され、相手先の電話番号がセルラー電話番号であれば、セルラー無線インターフェース１２７を使用して発呼するように呼制御部１２３に指示を与える。【００３５】  一方、入力された前記相手先の電話番号がセルラー番号以外であれば、構内通信ネットワークシステム１１０及び外部のインターネット１３１を介して通話をするため、無線ＬＡＮインターフェース１２６を使用して発呼するように呼制御部１２３に指示を与える。【００３６】  無線端末装置１２０は、セルラー無線インターフェース１２７を介して発呼した場合（一般のセルラーの無線端末装置に対して電話をかける場合）、直接にセルラーネットワークシステム１４０を経由して、セルラーネットワー１４０の配下にいる無線端末装置１４１と通話を行う。【００３７】  また、無線ＬＡＮインターフェース１２６を使用して発呼した場合における一般公衆電話番号又はＩＰ電話番号をもつ端末装置に対する発呼は、電話番号が一般公衆電話番号又はＩＰ電話番号であることを図３に示す回線交換装置１１１の呼制御部１１１４が判断し、図４の発呼シーケンスの接続要求信号に含まれる電話番号を、外線インターフェース１１１３を介して外部のインターネット１３１に送信する。【００３８】  一方、内線電話番号をもつ無線端末装置１２０への発呼シーケンスは、図５に示すように、接続要求信号を受けた回線交換装置１１１は、呼制御部１１１４で、発信先が内線電話番号をもつ無線端末装置であることを判断すると位置情報／ＩＰアドレス管理部１１１５に対して、相手先の無線端末装置が構内に在／不在かを確認をする。位置情報／ＩＰアドレス管理部１１１５では、図６に示すような各無線端末装置１２０の内線電話番号と在／不在登録がなされている。【００３９】  各無線端末装置１２０の位置登録（在／不在登録）は、無線端末装置１２０が、構内通信ネットワークのいずれかのアクセスポイント１１２にアクセスし、ＩＰアドレスを取得した時点で、図７に示すような位置登録シーケンスで、回線交換装置１１１の位置情報／ＩＰアドレス管理部１１１５に内線電話番号と現在の端末のＩＰアドレスが登録され、図６に示すように、在／不在登録に加えて現在のＩＰアドレスが登録される。【００４０】  このような位置登録は、無線端末装置１２０が構内電話ネットワーク１１０の内部を移動し、付与されるＩＰアドレスが変更されるたびに行われるほか、無線端末装置１２０がある一定の場所にとどまっている場合でも定期的に行うことで、無線端末装置１２０が構外に出た場合でも、一定期間内に位置登録がなければ構外に出たと判断することができるため、正確に無線端末装置１２０の在／不在を把握することができる。【００４１】  呼制御部１１１４は、位置情報確認により、発呼先の無線端末装置１２０が構内にいると分かると、図５に示すように、呼制御部１１１４は、発呼先の無線端末装置１２０のＩＰアドレスを位置情報／ＩＰアドレス管理部１１１５から取得し、そのＩＰアドレスに向けて内線インターフェース１１１１を介して接続要求信号を転送する。接続要求信号を受けた発呼先の無線端末装置１４１は、接続確認信号を回線交換装置１１１を経由して無線端末装置１２０に返信し、無線端末装置１２０は無線端末装置１４１への内線発信信号を送信して、無線端末装置１２０と無線端末装置１４１との間で通話が開始される。【００４２】  一方、呼制御部１１１４は、位置登録情報確認により無線端末装置１４１が構外にいると分かると、呼制御部１１１４は、無線端末装置１２０に対して、無線ＬＡＮインターフェース１２６からセルラー無線インターフェース１２７を介した発呼に切替を要求する接続切替要求信号を送信する。【００４３】  無線端末装置１２０の呼制御部１２３は、接続切替要求信号を受け取った時に、接続切替要求信号を内線／セルラー切替処理部１２５に送り、かつ、回線交換装置１１１に対して無線ＬＡＮインターフェース１２６を介して接続切替確認信号を送り返す。内線／セルラー切替処理部１２５は、セルラー／内線電話番号管理部１２４で予め記憶している無線端末装置１４１のセルラー電話番号を検索し、そのセルラー電話番号でセルラー無線インターフェース１２７を経由して発呼するように呼制御部１２３に指示を与える。【００４４】  セルラー無線インターフェース１２７を経由する発呼指示を受けた呼制御部１２３は、セルラー電話番号で発呼し、図８に示すようにセルラーネットワークシステム１４０を介して無線端末装置１４１に対して発信して通話を開始する。【００４５】  本発明の実施の形態１においては、通信システム１００の無線端末装置１２０は、ＩＰ電話用の無線ＬＡＮインターフェース１２６と公衆無線通信システム用のセルラー無線インターフェース１２７を有している。無線端末装置１２０は、発呼先が構内（指定区域内）又は構外（指定区域外）にいるかを、発呼と同時に回線交換装置１１１より通知をうけることで、構内にいる場合には構内通信ネットワーク１１０を使用したＩＰ無線電話発信とし、かつ、構外にいる場合には無線端末装置１２０で自動的にセルラー番号発信に切り替えて直接にセルラーネットワークシステム１４０を介して通信できるため、無線端末装置１２０が構外にいる場合でもセルラー無線ネットワークシステム１４０を経由して発呼／着呼できるから、着呼できる確率を大幅に向上させることができる。【００４６】  また、本発明の実施の形態１においては、通信システム１００は、相手先の無線端末装置１４１が構外にいる場合には、回線交換装置１１１を経由することなく直接にセルラーネットワークシステム１４０を経由して通信できるため、回線交換装置１１１の負荷を低減することができる。【００４７】  （実施の形態２）
次に、本発明の実施の形態２について、図面を参照して詳細に説明する。【００４８】  図９は、本発明の実施の形態２に係る通信システムの無線端末装置を示すブロック図である。図１０は、本発明の実施の形態２に係る通信システムの回線交換装置を示すブロック図である。本発明の実施の形態２においては、本発明の実施の形態１と同じ構成要素には同じ参照符号を付されてその説明が省略される。【００４９】  図９及び図１０に示すように、本発明の実施の形態２に係る通信システム９００は、本発明の実施の形態１に係る通信システム１００において、無線端末装置１２０及び回線交換装置１１１の代わりに無線端末装置９１０及び回線交換装置９２０を具備するものである。【００５０】  図９に示すように、無線端末装置９１０は、無線端末装置１２０においてセルラー／内線電話番号管理部１２４を削除してなるものである。すなわち、無線端末装置９１０は、電話番号入力部１２１と、セルラー／内線処理部１２２と、呼制御部１２３と、内線／セルラー切替処理部１２５と、無線ＩＰ電話機用の無線ＬＡＮインターフェース１２６と、公衆無線通信システム用のセルラー無線インターフェース１２７と、を具備している。【００５１】  図１０に示すように、回線交換装置９２０は、回線交換装置１１１において電話番号テーブル９２１を追加してなる。すなわち、回線交換装置９２０は、内線インターフェース１１１１、交換部１１１２、外線インターフェース１１１３、呼制御部１１１４、位置情報／ＩＰアドレス管理部１１１５及び電話番号テーブル９２１を具備している。電話番号テーブル９２１は、複数の無線端末装置の各々を特定する内線電話番号とセルラー電話番号とを対応づけて記憶している。【００５２】  本発明の実施の形態２に係る通信システムにおいては、無線端末装置９１０は、発呼した内線電話番号に対するセルラー電話番号を回線交換装置１１１１から受け取って、セルラーネットワークシステムを介した発呼に自動的に切り替えを実現するものである。これにより、企業内のすべての無線端末装置９１０は、内線／セルラーの電話番号を登録する必要はなく、回線交換装置９２０で一元して電話番号テーブル９２１を管理するだけで良いことになる。【００５３】  無線端末装置９１０は、図９に示すようにセルラー／内線電話番号管理部１２４が不要となり、それに対して回線交換装置９２０は、図１０に示すように各無線端末装置９１０の内線電話番号とセルラー電話番号の対応を管理する電話番号テーブル９２１を有する。【００５４】  構外にいる無線端末装置への発呼シーケンスでは、図１１に示すように、回線交換装置９２０から無線端末装置９１０への接続切替要求信号に電話番号テーブル９２１を検索して得たセルラー電話番号情報を載せて送ることで、受け取った無線端末装置９１０は、セルラーネットワークシステム１４０を介した発呼に自動的に切り替える。【００５５】  本発明の実施の形態２は、本発明の実施の形態１と同じ効果を有している。また、本発明の実施の形態２においては、回線交換装置９２０が内線電話番号とセルラー電話番号とを対応づけて記憶している電話番号テーブル９２１を有することにより、無線端末装置９１０の負荷を低��できる。また、本発明の実施の形態２においては、各無線端末装置の故障や機種変更にともなって各無線端末装置のセルラー番号が変更した場合にも、回線交換装置９２０の側で一括して登録することにより、各無線端末装置への書き換えは不要であるため、ネットワーク側に設けた電子電話帳機能の役割を果たすことができる。【００５６】  （実施の形態３）
次に、本発明の実施の形態３について、図面を参照して詳細に説明する。【００５７】  図１２は、本発明の実施の形態３に係る通信システムの無線端末装置の構成を示すブロック図である。図１３は、本発明の実施の形態３に係る通信システムの回線交換装置の構成を示すブロック図である。本発明の実施の形態３においては、本発明の実施の形態１と同じ構成要素には同じ参照符号を付されてその説明が省略される。【００５８】  図１２及び図１３に示すように、本発明の実施の形態３に係る通信システム１２００は、本発明の実施の形態１に係る通信システム１００において、無線端末装置１２０及び回線交換装置１１１の代わりに無線端末装置１２１０及び回線交換装置１２２０を具備するものである。【００５９】  図１２に示すように、無線端末装置１２１０は、無線端末装置１２０において優先度入力部１２１１を追加してなるものである。すなわち、無線端末装置１２１０は、電話番号入力部１２１と、セルラー／内線処理部１２２と、呼制御部１２３と、内線／セルラー切替処理部１２５と、無線ＩＰ電話機用の無線ＬＡＮインターフェース１２６と、公衆無線通信システム用のセルラー無線インターフェース１２７と、優先度入力部１２１１と、を具備している。優先度入力部１２１１は、ユーザが発呼先との通信の接続優先度を選択して接続優先度情報を入力するためのものである。【００６０】  図１３に示すように、回線交換装置１２２０は、回線交換装置１１１において呼制御部１１１４の代わりに呼制御部１２２１を有し、かつ、端末状態管理部１２２２及び発信端末接続優先度検出部１２２３を追加してなる。すなわち、回線交換装置１２２０は、内線インターフェース１１１１、交換部１１１２、外線インターフェース１１１３、位置情報／ＩＰアドレス管理部１１１５、呼制御部１２２１、端末状態管理部１２２２及び発信端末接続優先度検出部１２２３を有している。【００６１】  発信端末接続優先度検出部１２２３は、発信元の無線端末装置の接続優先度情報を検出し、呼制御部１２２１に対して無線端末装置１２０に対する制御について指示を与える。呼制御部１２２１は、発信端末接続優先度検出部１２２３からの指示に基づいて呼を制御する。端末状態管理部１２２２は、無線端末装置１２１０が話中であるか否かの状態を記憶して管理する。【００６２】  図１４は、本発明の実施の形態３に係る通信システムの無線端末装置１２０１による優先度の設定の例を説明するための図である。図１４に示すように、たとえば、優先度１は、相手の無線端末装置が構内に存在し話中であるが、キャッチフォンのように相手に接続し、また、構外にいてもセルラー発信に自動的に切り替えて、必ず相手に接続する。【００６３】  また、優先度２は、相手の無線端末装置が構内に存在する場合には接続するが（話中の場合はキャッチフォン接続する）、構外にいる場合にはわざわざセルラー切替発信は行わない。さらに、優先度３は、相手の無線端末装置が構内いるが、話中の場合には接続しない（キャッチフォン接続も行わない）。【００６４】  図１５は、本発明の実施の形態３に係る通信システムにおける相手の無線端末装置が構内に存在する場合の接続シーケンスを示すものである��前記優先度１、２の場合には、図１４に示すように、キャッチフォン着信により、接続が行なわれる。ここで、キャッチフォン着信を実現するために、無線端末装置１２０１には、無線ＬＡＮインターフェース１２６を使った内線電話中又はセルラー無線インターフェース１２７を使った外線電話中に、新たな呼を受け付けるキャッチフォン機能が必要である。【００６５】  次に、本発明の実施の形態３に係る通信システムにおけるキャッチフォン接続について、説明する。【００６６】  図１６は、本発明の実施の形態３に係る通信システムにおけるキャッチフォン接続のフローの一例を示すフロー図である。【００６７】  図１６に示すように、ステップＳＴ１６１において、回線交換装置１２２０は、無線端末装置１２１０がセルラー無線インターフェース１２７または無線ＬＡＮインターフェース１２６を介して話中またはデータ通信中であるかを判断する。【００６８】  ステップＳＴ１６１において、無線端末装置１２１０がセルラー無線インターフェース１２７または無線ＬＡＮインターフェース１２６を介して話中またはデータ通信中である時に、無線端末装置１２１０は、無線ＬＡＮインターフェース１２６を介して内線着信を受け、表示部や着信音などにより、無線端末装置１２１０のユーザに通知する（ステップＳＴ１１６２）。【００６９】  次に、ユーザは、現在実行中の作業である電話またはデータ通信と新しい着信との優先度を比較しいずれかを選択して入力する。この入力の後に、ステップＳＴ１６３において、無線端末装置１２１０は現在実行中の作業の優先度が高いかを判断する。ステップＳＴ１６３において、現在実行中の作業の優先度が高くないと判断された時に、無線端末装置１２１０は着信を受け付けて通話を開始する（ステップＳＴ１６４）。ステップＳＴ１６３において、現在実行中の作業の優先度が高いと判断された時に、無線端末装置１２１０は着信を拒否する（ステップＳＴ１６５）。【００７０】  また、優先度３の場合は、回線交換装置１２２０は、キャッチフォン接続は行わず、相手の無線端末装置１２１０が話中であることを示す話中信号を通知する。【００７１】  一方、相手の無線端末装置１４１が構外に存在する場合の接続シーケンスを図１７に示す。前記優先度１では、図１７に示すように、回線交換装置１２２０は、相手先の無線端末装置１４１の位置情報を確認し構外にいることを確認すると、無線端末装置１２１０に接続切替要求信号を送り、実施の形態１と同様に、無線端末装置１２１０はセルラー番号発信に自動的に切り替えて構外にいる無線端末装置１４１に接続する。【００７２】  また、優先度２、３の場合は、回線交換装置１２２０は、接続相手先の無線端末装置１４１が構外にいることを確認すると、無線端末装置１２１０に対して圏外信号を通知し、接続相手先の無線端末装置１４１が構内に存在しないことを発信元の無線端末装置１２１０に知らせる。【００７３】  なお、セルラー発信自動切換にあたっては、実施の形態１と同様に、セルラー番号／内線番号のテーブルを持っている場合について説明したが、本発明の実施の形態２のようにセルラー番号を回線交換装置９２０から通知してもよい。【００７４】  本発明の実施の形態３における呼制御部１２２１、端末状態管理部１２２２、位置情報／ＩＰアドレス管理部１１５及び発信端末優先度検出部１２２３の制御について、図１８を参照して説明する。図１８は、本発明の実施の形態３における呼制御部１２２１、端末状態管理部１２２２、位置情報／ＩＰアドレス管理部１１１５及び発信端末優先度検出部１２２３の制御シーケンスを示すフロー図である。【００７５】  まず、ステップＳＴ１８１において、呼制御部１２２１は、接続先端末番号を検出し、位置情報／ＩＰアドレス管理部１１１５に現在の接続先無線端末装置の位置情報を要求する。次に、ステップＳＴ１８２において、位置情報／ＩＰアドレス管理部１１１５は、接続先無線端末装置の位置情報を検索し、構内（在）／構外（不在）を呼制御部１２２１に渡す。この時に、接続先無線端末装置が構内の場合には、位置情報／ＩＰアドレス管理部１１１５は、接続先無線端末装置のＩＰアドレスも一緒に渡す。【００７６】  次に、ステップＳＴ１８３において、呼制御部１２２１は構内かを判断する。ステップＳＴ１８２において構内でない時に、発信端末優先度検出部１２２３が接続優先度を検出する（ステップＳＴ１８４）。次に、ステップＳＴ１８５において、呼制御部１２２１は、接続優先度１かを判断する。ステップＳＴ１８５において接続優先度１でない時（接続優先度２、３である時）、呼制御部１２２１は、発信無線端末装置に対して、内部インターフェースを経由して圏外信号を通知する（ステップＳＴ１８６）。【００７７】  ステップＳＴ１８５において接続優先度１である時に、呼制御部は、発信無線端末装置に対して、内部インターフェースを経由して接続切替要求信号を通知する（ステップＳＴ１８７）。【００７８】  ステップＳＴ１８３において構内である時に、呼制御部１２２１は、接続先無線端末装置の現在の状態（話中である／ない）を、端末状態管理部１２２２に確認をする（ステップＳＴ１８８）。次に、ステップＳＴ１８９において、呼制御部１２２１は、話中であるかを判断する。ステップＳＴ１８９において話中である時に、発信端末優先度検出部１２２３が接続優先度を検出する（ステップＳＴ１９０）。【００７９】  次に、ステップＳＴ１９１において、呼制御部１２２１は、接続優先度１、２であるかを判断する。ステップＳＴ１９１において接続優先度１、２である時に、呼制御部１２２１は、接続先無線端末装置に対して、内部インターフェースを経由して接続要求信号を通知し、接続要求を行う（ステップＳＴ１９２）。【００８０】  ステップＳＴ１９１において接続優先度１、２でない時（接続優先度３である時）、呼制御部１２２１は、発信側無線端末装置に対して、内部インターフェースを経由して話中信号を通知する（ステップＳＴ１９３）。ステップＳＴ１８９において話中でない時に、呼制御部１２２１は、接続先無線端末装置に対して、内部インターフェースを経由して接続要求信号を通知し、接続要求を行う（ステップＳＴ１９４）。【００８１】  本発明の実施の形態３は、本発明の実施の形態１と同じ効果を有している。また、本発明の実施の形態３においては、発信側の接続に対する優先度、すなわち、必ず相手に接続し伝えたい用件が有無���従って接続を自動的に切り替えることにより、即伝えたい用件がある場合は即接続させ、とりあえず連絡をとりたいがつながらない場合には、あとからまたかけなおすこと問題ない場合などには接続先が内線話中の場合は邪魔をすることなく業務の効率化を図れるほか、構外にいる場合は通話料金のかかるセルラー発信を取りやめることで通信費削減を図ることができる。【００８２】  （実施の形態４）
次に、本発明の実施の形態４について、図面を参照して詳細に説明する。【００８３】  図１９は、本発明の実施の形態４に係る通信システムの無線端末装置を示すブロック図である。本発明の実施の形態４においては、本発明の実施の形態１と同じ構成要素には同じ参照符号を付されてその説明が省略される。【００８４】  図１９に示すように、本発明の実施の形態４に係る通信システム１９００は、本発明の実施の形態１に係る通信システム１００において、無線端末装置１２０の代わりに無線端末装置１９１０を具備するものである。【００８５】  図１９に示すように、無線端末装置１９１０は、無線端末装置１２０において通話緊急度入力部１９１１、発信側通話優先度検出部１９１２及び表示部１９１３を追加してなるものである。すなわち、無線端末装置１９１０は、電話番号入力部１２１と、セルラー／内線処理部１２２と、呼制御部１２３と、内線／セルラー切替処理部１２５と、無線ＩＰ電話機用の無線ＬＡＮインターフェース１２６と、公衆無線通信システム用のセルラー無線インターフェース１２７と、通話緊急度入力部１９１１と、発信側通話優先度検出部１９１２と、表示部１９１３と、を具備している。【００８６】  通話緊急度入力部１９１１は、ユーザが発呼先との通話の緊急度を示す通信緊急度情報を入力するためのものである。発信側通話優先度検出部１９１２は、発信側の通話の緊急度情報を検出して緊急度検出結果を生成して表示部１９１３に与える。表示部１９１３は、発信側通話緊急度検出部１９１２からの前記緊急度検出結果を表示してユーザに報知する。【００８７】  本発明の実施の形態４に係る通信システムにおいては、無線端末装置１９１０は、発信側の無線端末装置の通話の緊急度（要求度）、すなわち、接続相手先に即伝えたい要件があるか、もしくは少し時間がたってから伝えてもよい要件であるかを接続相手先に伝える機能を有する。【００８８】  また、図２０に接続相手先に伝える緊急度の通知内容の例を示す。緊急度１は、緊急度は最も高く、至急伝えたいことがある。緊急度２は、緊急度は中程度で、伝えたいことがあるので接続相手先の状態に問題なければ電話に出てほしいが、現在どうしても出られないのであれば、あとから折り返し電話をしてほしい。緊急度３は、緊急度は低く、接続相手先が現在出られないのであれば、改めてかけ直すというものである。【００８９】  図２１は、接続相手先の無線端末装置が構内にいる場合の内線接続時のシーケンスを示す図である。図２２は、接続相手先の無線端末装置が構外にいる場合のセルラー接続時のシーケンスを示す図である。【００９０】  図２１、２２に示すように、内線発信信号、及びセルラー発信信号と共に、通話緊急度情報が接続相手先に通知される。通話緊急度情報を受けとった無線端末装置は、図２３に示すように緊急度検出結果を発信端末装置の電話番号や発信者名などと共に、無線端末装置１９１０の表示部１９１３に表示し、着呼者に通知する機能が必要となる。【００９１】  なお、内線通話時においては、通話緊急度情報は発信信号に冗長し、受け取った着信側の無線端末装置１９１０は、図１９に示す発信側通話緊急度検出部１９１２で通話緊急度情報を検出し緊急度検出結果を表示部１９１３に表示する機能を有することで実現可能である。この場合に、セルラー発信時においては、セルラーネットワークシステムも、通話緊急度情報が含まれていることを検出し、着信側の無線端末装置に通話緊急度情報を通知する機能が必要となる。【００９２】  なお、本発明の実施の形態４は、本発明の実施の形態３と組み合わせることが可能である。すなわち、発信側の無線端末装置の接続に対する通話緊急度に応じて、着信側の無線端末装置への接続優先度を切り替えるととともに、通話緊急度を相手側の無線端末装置に通知することで、着信側の無線端末装置との接続できる可能性はより高まるため、用件を伝えることが可能となる。【００９３】  本発明の実施の形態４は、本発明の実施の形態１と同じ効果を有している。また、本発明の実施の形態４においては、発信側の無線端末装置の接続に対する通話緊急度を着信側の無線端末装置に通知することで、接続可能性が高まると共に、着信側のユーザは発信側の通話緊急度に応じて電話ででるか否かを判断でき、たとえば、打合せ中などに通話緊急度の低い着信があった場合には接続を取りやめ打合せに集中するように業務の効率化を図ることができる。【００９４】  （実施の形態５）
次に、本発明の実施の形態５について、図面を参照して詳細に説明する。【００９５】  図２４は、本発明の実施の形態５に係る通信システムの構成を示す図である。図２５は、本発明の実施の形態５に係る通信システムの無線端末装置の構成を示すブロック図である。図２６は、本発明の実施の形態５に係る通信システムの宅内通信ネットワークシステムにおける回線交換装置の構成を示すブロック図である。本発明の実施の形態５においては、本発明の実施の形態１と同じ構成要素には同じ参照符号を付されてその説明が省略される。【００９６】  図２４に示すように、本発明の実施の形態５に係る通信システム２４００は、宅内に構築されＩＰ化された宅内通信ネットワークシステム２４１０と、複数の無線端末装置１２０と、外部の通信ネットワークシステム２４２０と、セルラーネットワークシステム１４０と、宅内に構築されＩＰ化された宅内通信ネットワークシステム２４３０と、を具備している。【００９７】  通信ネットワークシステム２４２０は、インターネット１３１、公衆ネットワークシステム１３２、サービスプロバイダ−局の回線交換装置２４２１及びインターネット２４２２を具備している。サービスプロバイダ−局の回線交換装置２４２１は、インターネット１３１と公衆ネットワークシステム１３２とインターネット２４２２とを接続している。【００９８】  宅内通信ネットワークシステム２４１０の回線交換装置１１１は、外部のインターネット１３１と接続されている。宅内通信ネットワークシステム２４３０の回線交換装置１１１は、外部のインターネット２４２２と接続されている。【００９９】  宅内通信ネットワークシステム２４１０、２４３０は、回線交換装置１２０及びアクセスポイント装置１１２を有している。また、複数の無線端末装置１２０の各々は、アクセスポイント装置１１２及び回線交換装置１１１を介して外部の通信ネットワークシステム２４２０の複数の無線端末装置（図示せず）の各々と音声による通話を行うことができる。さらにまた、複数の無線端末装置１２０の各々は、セルラーネットワークシステム１４０の複数の無線端末装置１４１の各々と直接に音声による通話を行うことができる。【０１００】  図２５に示すように、無線端末装置１２０は、電話番号入力部１２１と、セルラー／内線処理部１２２と、呼制御部１２３と、セルラー／内線電話番号管理部１２４と、内線／セルラー切替処理部１２５と、無線ＩＰ電話機用の無線ＬＡＮインターフェース１２６と、公衆無線通信システム用のセルラー無線インターフェース１２７と、を具備している。【０１０１】  図２６に示すように、サービスプロバイダ−局の回線交換装置２４２１は、交換部１１１２、外線インターフェース１１１３、呼制御部１１１４及び位置情報／ＩＰアドレス管理部１１１５を具備している。【０１０２】  図２４に示すように、本発明の実施の形態５に係る通信システム２４００は、ＡＤＳＬ又はＦＴＴＨシステムなどに対応する回線交換装置１１１により加入者宅がインターネットに接続できる環境において、サービスプロバイダー局の回線交換装置２４２１によりインターネットを介したＩＰ電話を実現するシステムである。【０１０３】  さらに、本発明の実施の形態５に係る通信システム２４００は、宅内にはＩＥＥＥ８０２．１１などの無線ＬＡＮ環境が整備されており、図２５に示すようにＩＥＥＥ８０２．１１などの無線ＬＡＮインターフェース１２６を備える無線端末装置１２０を用いてＩＰ無線電話ができるほか、セルラー無線インターフェース１２７を備えることで、セルラーネットワークシステム１４０を経由する電話も可能となるシステムである。【０１０４】  次に、本発明の実施の形態５に係る通信システム２４００の動作について、図２４〜図２６とともに図２７〜図３０を参照して説明する。【０１０５】  図２７は、本発明の実施の形態５に係る通信システム２４００における宅内にいる無線端末装置から宅内にいる無線端末装置への発信シーケンスを示す図である。図２８は、本発明の実施の形態５に係る通信システム２４００における位置情報／ＩＰアドレス管理部のテーブルの１例を示す図である。図２９は、本発明の実施の形態５に係る通信システム２４００における無線端末装置の位置登録シーケンスを示す図である。図３０は、本発明の実施の形態５に係る通信システム２４００における宅内にいる無線端末装置から宅外にいる無線端末装置への発信シーケンスを示す図である。【０１０６】  無線端末装置１２０のユーザは、図２５に示す無線端末装置２４１０の電話番号入力部１２１を用いて、相手先の電話番号を入力する。セルラー／ＩＰ電話処理部１２２は、入力された相手先の電話番号がＩＰ電話番号、セルラー電話番号又は一般公衆電話番号であるかを判断する。入力された相手先の電話番号がセルラー電話番号である場合には、セルラー無線インターフェース１２７を使用して発呼するように呼制御部１２３に指示を与える。【０１０７】  無線端末装置１２０のユーザは、図２５に示す無線端末装置１２０の電話番号入力部１２１を操作して相手先の無線端末装置を特定する電話番号を入力する。【０１０８】  入力された相手先の電話番号は、セルラー／内線処理部１２２により、内線番号、セルラー電話番号、一般公衆電話番号又はＩＰ電話番号であるかを判断され、相手先の電話番号がセルラー電話番号であれば、セルラー無線インターフェース１２７を使用して発呼するように呼制御部１２３に指示を与える。【０１０９】  一方、入力された前記相手先の電話番号がセルラー番号以外であれば、宅内通信ネットワークシステム２４１０及び外部のインターネット１３１を介して通話をするため、無線ＬＡＮインターフェース１２６を使用して発呼するように呼制御部１２３に指示を与える。【０１１０】  無線端末装置１２０は、セルラー無線インターフェース１２７を介して発呼した場合（一般のセルラーの無線端末装置に対して電話をかける場合）、直接にセルラーネットワークシステム１４０を経由して、セルラーネットワー１４０の配下にいる無線端末装置１４１と通話を行う。【０１１１】  また、無線ＬＡＮインターフェース１２６を使用して発呼した場合における一般公衆電話番号又はＩＰ電話番号をもつ端末装置に対する発呼は、入力された相手先の電話番号が一般公衆電話番号又はＩＰ電話番号であることを図２６に示す回線交換装置２４２１の呼制御部１１１４が判断する。【０１１２】  ここで、入力された相手先の電話番号が一般公衆電話番号である場合には、公衆ネットワークシステム１３２に信号が送られる。一方、ＩＰ電話番号のうち同じサービスプロバイダーがサービスするシステムの加入者とそれ以外に分けられ、前者では現在、例えば、ｙａｈｏｏ−ＢＢ（登録商標）フォンが運営するように加入者間の通信費が０円などの特定のサービスを行うことができる。【０１１３】  以下、本システムの同一システムに加入しており、かつ、図２５に示すように２つの無線インターフェースを有する無線端末装置１４１０をもちいたサービスを提供するシステムに加入している２つの無線端末装置の間の発呼シーケンスについて説明する。【０１１４】  図２７に示すように、同一サービスに加入している無線端末装置への発呼シーケンスは、接続要求信号を受けた回線交換装置２４２１が、呼制御部１１４で、発信先がサービスに加入している無線端末装置であることを判断すると位置情報／ＩＰアドレス管理部１１１５に対して、相手先の無線端末装置が宅内に在／不在かを確認をする。【０１１５】  位置情報／ＩＰアドレス管理部１１１５では、図２８に示すように、各無線端末装置のＩＰ電話番号と外線電話番号と在／不在登録がなされている。各無線端末装置の位置登録（在／不在登録）は、無線端末装置が、宅内に入り、宅内の無線ＬＡＮネットワークシステムにアクセスし、ＩＰアドレスを取得した時点で、図２９に示すような位置登録シーケンスが実行され、回線交換装置２４２１の位置情報／ＩＰアドレス管理部１１１５に電話番号と対応して端末のＩＰアドレスが登録され、図２８に示すように、在／不在登録に加えて現在のＩＰアドレスが登録される。【０１１６】  このような位置登録は、一定期間ごとに行うことで、無線端末装置１２０が宅外に出た場合でも、一定期間内に位置登録がなければ、宅外に出たと判断することができ、正確に無線端末装置１２０の宅内の在／不在を把握することができる。【０１１７】  図２７に示すように、位置情報／ＩＰアドレス管理部１１１５は、位置情報確認により発呼先無線端末装置１２０（Ｂ）が宅内にいると分かると、呼制御部１１１４が、発呼先無線端末装置１２０（Ｂ）のＩＰアドレスを位置情報／ＩＰアドレス管理部１１１５から取得し、そのＩＰアドレスに向けて外線インターフェース１１１３を介して接続要求信号を転送する。接続要求信号を受けた発呼先の無線端末装置１２０（Ｂ）は、接続確認信号を回線交換装置２４２１を経由して無線端末装置１２０（Ａ）に返信し、無線端末装置１２０（Ａ）が無線端末装置１２０（Ｂ）への番号発信信号を送信して通話を開始する。【０１１８】  また、位置情報／ＩＰアドレス管理部１１１５は、位置登録情報確認により無線端末装置１２０（Ｂ）が宅外にいると分かると、呼制御部１１１４が、無線端末装置１２０（Ａ）に対して、無線ＬＡＮインターフェース１２６からセルラー無線インターフェース１２７を介した発呼に切替を要求する接続切替要求信号を送信する。接続切替要求信号を受け取った無線端末装置１２０（Ａ）は、接続切替要求信号をＩＰ電話／セルラー切替処理部１２５に送って、回線交換装置２４２１に対して無線ＬＡＮインターフェース１２６を介して接続切替確認信号を送り返すとともに、セルラー／ＩＰ電話番号管理部１２４で予め記憶させておいた無線端末装置１２０（Ｂ）のセルラー番号を検索し、そのセルラー番号でセルラー無線インターフェース１２７を経由して発呼するように呼制御部１２３に指示を与える。【０１１９】  セルラー無線インターフェース１２７を経由する発呼指示を受けた呼制御部１２３は、セルラー番号で発呼し、図３０に示すようにセルラーネットワークシステム１４０を介して無線端末装置１２０（Ｂ）に対して発信して通話を開始する。【０１２０】  なお、本発明の実施の形態５は、本発明の実施の形態２〜４のいずれかに適用することもできる。【０１２１】  本発明の実施の形態５の通信システムにおいては、無線端末装置がＩＰ無線電話用の無線ＬＡＮインターフェースと公衆無線通信システム用のセルラー無線インターフェースの有し、発呼先が宅内（指定区域内）にいる否かを発呼と同時にサービスプロバイダの局の回線交換装置２４２１より通知をうけることで、宅内にいる場合にはインターネットを使用したＩＰ電話発信し、かつ、宅外にいる場合には、無線端末装置で自動的にセルラー番号発信に切り替えて直接にセルラーネットワークシステム１４０を介して通信するため、無線端末装置が宅外にいる場合でもセルラー無線経由で発呼／着呼できるから、着呼できる確率を大幅に向上させることができる。【０１２２】  また、本発明の実施の形態５の通信システムにおいては、相手先が宅外にいる場合には回線交換装置１１１を経由することなく、直接にセルラーネットワークシステム１４０を経由して通信できるため、回線交換装置１１１の負荷は低減することができる。【０１２３】  本明細書は、２００４年６月２１日出願の特願２００４−１８３１４０に基づく。この内容はすべてここに含めておく。
【産業上の利用可能性】
【０１２４】  本発明は、着呼できる確率を大幅に向上させることができ、かつ、相手先の無線端末装置が指定区域外にいる場合には回線交換装置を経由することなく通話することができるため回線交換装置の負荷を低減することができる効果を有し、通信装置及び通信方法に有用である。
【図１】
2005125258.tif 000002
【図２】
2005125258.tif 000003
【図３】
2005125258.tif 000004
【図４】
2005125258.tif 000005
【図５】
2005125258.tif 000006
【図６】
2005125258.tif 000007
【図７】
2005125258.tif 000008
【図８】
2005125258.tif 000009
【図９】
2005125258.tif 000010
【図１０】
2005125258.tif 000011
【図１１】
2005125258.tif 000012
【図１２】
2005125258.tif 000013
【図１３】
2005125258.tif 000014
【図１４】
2005125258.tif 000015
【図１５】
2005125258.tif 000016
【図１６】
2005125258.tif 000017
【図１７】
2005125258.tif 000018
【図１８】
2005125258.tif 000019
【図１９】
2005125258.tif 000020
【図２０】
2005125258.tif 000021
【図２１】
2005125258.tif 000022
【図２２】
2005125258.tif 000023
【図２３】
2005125258.tif 000024
【図２４】
2005125258.tif 000025
【図２５】
2005125258.tif 000026
【図２６】
2005125258.tif 000027
【図２７】
2005125258.tif 000028
【図２８】
2005125258.tif 000029
【図２９】
2005125258.tif 000030
【図３０】
2005125258.tif 000031
【国際調査報告】
2005125258.tif 000032
2005125258.tif 000033
2005125258.tif 000034
2005125258.tif 000035